(57)【要約】【課題】  排除券が発生した割合に応じて一連の処理を停止するようにすることができ、システム全体の効率的な運用が実現でき、人手によるオペレーションの低減、あるいは、スループットの向上を実現できる。【解決手段】  紙葉類処理システムあるいは紙葉類処理装置としての検査機が、複数の紙葉類を連続的に処理する場合、１連の処理を停止させるための基準値を予め設定しておき、各紙葉類が排除券か否かを判定し、排除券と判定された紙葉類を所定の集積手段に集積し、前記集積手段に集積された排除券が前記基準値に達した場合、１連の処理を停止するようにしてものである。【選択図】      図２
2007293607.tif 000002
【特許請求の範囲】
【請求項１】
紙葉類を処理する紙葉類処理装置の１連の処理を停止させるための基準値を設定する設定手段と、
複数の紙葉類を１枚づつ搬送する搬送手段と、
この搬送手段により搬送される紙葉類から特徴量を検知する検知手段と、
この検知手段により検知された紙葉類の特徴量に基づいて当該紙葉類が排除券か否かを判定する判定手段と、
この判定手段により排除券と判定された紙葉類を集積する集積手段と、
前記集積手段に集積された排除券が前記設定手段により設定されている基準値に達したか否かを判断する判断手段と、
この判断手段により排除券が前記設定手段により設定されている基準値に達したと判断した場合、１連の処理を停止する停止手段と、
を具備することを特徴とする紙葉類処理装置。
【請求項２】
前記設定手段は、１連の処理を停止させるための基準値として紙葉類の束数を設定しておき、
前記搬送手段は、複数束の紙葉類を１枚づつ搬送し、
前記判断手段は、前記判定手段にて排除券と判定された紙葉類が含まれていた束の数が前記設定手段により設定されている束数に達したか否かを判断し、
前記停止手段は、前記判定手段にて排除券と判定された紙葉類が含まれていた束数が前記設定手段にて設定されている束数に達したと判断した場合、１連の処理を停止する、
ことを特徴とする前記請求項１に記載の紙葉類処理装置。
【請求項３】
さらに、第１の動作モードあるいは第２の動作モードの何れかを設定する動作モード設定手段を有し、
前記動作モード設定手段により前記第１の動作モードが設定されている場合、前記判断手段は、前記判定手段にて判定した紙葉類の束数が前記設定手段により設定されている束数に達したか否かを判断し、前記停止手段は、前記判断手段により前記判定手段にて判定した紙葉類の束数が前記設定手段により設定されている束数に達したと判断した場合に、１連の処理を停止し、
前記動作モード設定手段により前記第２の動作モードが設定されている場合、前記判断手段は、前記判定手段にて排除券と判定された紙葉類が含まれていた束数が前記設定手段にて設定されている束数に達したか否かを判断し、前記停止手段は、前記判断手段により前記判定手段にて判定した紙葉類の束数が前記設定手段により設定されている束数に達したと判断した場合に、１連の処理を停止する、
ことを特徴とする前記請求項２に記載の紙葉類処理装置。
【請求項４】
紙葉類を検査する検査装置と、前記検査装置により排除された紙葉類を処理する排除券処理装置と、前記検査装置による処理結果および前記排除券処理装置における処理結果を集計する制御装置とを有する紙葉類処理システムであって、
前記検査装置は、
１連の処理を停止させるための基準値を設定する設定手段と、
複数の紙葉類を１枚づつ搬送する搬送手段と、
この搬送手段により搬送される紙葉類から特徴量を検知する検知手段と、
この検知手段により検知された紙葉類の特徴量に基づいて当該紙葉類が排除券か否かを判定する判定手段と、
この判定手段により排除券と判定された紙葉類を集積する集積手段と、
前記集積手段に集積された排除券が前記設定手段により設定されている基準値に達したか否かを判断する判断手段と、
この判断手段により排除券が前記設定手段により設定されている基準値に達したと判断した場合、１連の処理を停止する停止手段と、を有し、
前記排除券処理装置は、
前記停止手段により１連の処理が停止した検査装置の集積手段に集積された紙葉類を処理する処理手段を有する、
ことを特徴とする紙葉類処理システム。
【請求項５】
さらに、束の紙葉類を前記検査装置の前記搬送手段により１枚づつ搬送可能な状態に処理する前処理装置を有し、
前記設定手段は、１連の処理を停止させるための基準値として紙葉類の束数を設定しておき、
前記搬送手段は、前記前処理装置により処理された複数束の紙葉類を１枚づつ搬送し、
前記判断手段は、前記判定手段にて排除券と判定された紙葉類が含まれていた束の数が前記設定手段により設定されている束数に達したか否かを判断し、
前記停止手段は、前記判定手段にて排除券と判定された紙葉類が含まれていた束数が前記設定手段にて設定されている束数に達したと判断した場合、１連の処理を停止する、
ことを特徴とする前記請求項４に記載の紙葉類処理システム。
【請求項６】
前記制御装置は、第１の動作モードあるいは第２の動作モードの何れかを設定する動作モード設定手段を有し、
前記制御装置により前記第１の動作モードが設定されている場合、前記検査装置の前記判断手段は、前記判定手段にて判定した紙葉類の束数が前記設定手段により設定されている束数に達したか否かを判断し、前記検査装置の前記停止手段は、前記判断手段により前記判定手段にて判定した紙葉類の束数が前記設定手段により設定されている束数に達したと判断した場合に、１連の処理を停止し、
前記動作モード設定手段により前記第２の動作モードが設定されている場合、前記検査装置の前記判断手段は、前記判定手段にて排除券と判定された紙葉類が含まれていた束数が前記設定手段にて設定されている束数に達したか否かを判断し、前記検査装置の前記停止手段は、前記判断手段により前記判定手段にて判定した紙葉類の束数が前記設定手段により設定されている束数に達したと判断した場合に、１連の処理を停止する、
ことを特徴とする前記請求項５に記載の紙葉類処理システム。
【請求項７】
紙葉類を処理する紙葉類処理装置に用いられる紙葉類処理方法であって、
１連の処理を停止させるための基準値を設定しておき、
複数の紙葉類を１枚づつ搬送し、
搬送される紙葉類から特徴量を検知し、
検知された紙葉類の特徴量に基づいて当該紙葉類が排除券か否かを判定し、
排除券と判定された紙葉類を集積手段に集積し、
前記集積手段に集積された排除券が前記設定されている基準値に達したか否かを判断し、
この判断により排除券が前記設定されている基準値に達したと判断した場合、１連の処理を停止する、
ことを特徴とする紙葉類処理方法。
【請求項８】
前記設定は、１連の処理を停止させるための基準値として紙葉類の束数を設定しておき、
前記搬送は、複数束の紙葉類を１枚づつ搬送し、
前記判断は、前記排除券と判定された紙葉類が含まれていた束の数が前記設定されている束数に達したか否かを判断し、
前記停止は、前記排除券と判定された紙葉類が含まれていた束数が前記設定されている束数に達したと判断した場合、１連の処理を停止する、
ことを特徴とする前記請求項７に記載の紙葉類処理方法。
【請求項９】
さらに、第１の動作モードあるいは第２の動作モードの何れかを設定しておき、
前記第１の動作モードが設定されている場合、前記判断は、前記判定した紙葉類の束数が前記設定されている束数に達したか否かを判断し、前記停止は、前記判断により前記判定した紙葉類の束数が前記設定されている束数に達したと判断した場合に、１連の処理を停止し、
前記第２の動作モードが設定されている場合、前記判断は、前記排除券と判定された紙葉類が含まれていた束数が前記設定されている束数に達したか否かを判断し、前記停止は、前記判断により前記判定した紙葉類の束数が前記設定されている束数に達したと判断した場合に、１連の処理を停止する、
ことを特徴とする前記請求項８に記載の紙葉類処理方法。
【発明の詳細な説明】
【技術分野】
【０００１】
この発明は、紙葉類を検査する紙葉類処理装置としての検査装置、上記検査装置により排除券と判断された紙葉類を処理する排除券処理装置、上記排除券処理装置と上記検査装置とに接続される制御装置としての集中制御卓などを有する紙葉類処理システムおよび紙葉類処理方法に関する。
【背景技術】
【０００２】
従来、紙葉類処理システムには、紙葉類の検査を行う検査装置、上記検査装置により排除券と判断された紙葉類を処理する排除券処理装置、および、上記排除券処理装置と上記検査装置とに接続される集中制御卓などから構成されるものがある。  
上記のような紙葉類処理システムにおいて、上記検査装置では、所定の検査単位ごとに紙葉類を１枚づつ検査することにより、紙葉類が良券か不良券か排除券かを検査する。上記検査装置は、良券および不良券と判断した紙葉類にそれぞれ対応した処理を行うとともに、良券および不良券の枚数を検査結果として集中制御卓に出力するようになっている。また、上記検査装置では、排除券と判断した紙葉類を排除券カセットに集積する。この排除券カセットに集積された排除券は、係員により取り出されて、上記排除券処理装置に供給される。係員により排除券が供給された排除券処理装置では、排除券に対する処理を行うとともに、処理枚数などの処理結果を集中制御卓に出力するようになっている。
【０００３】
このような従来の紙葉類処理システムでは、１連の処理単位（バッチ）となる紙葉類の数（バッチサイズ）が定められている。たとえば、バッチサイズを４０００枚とすると、従来の紙葉類処理システムは、上記検査装置により４０００枚の紙葉類を処理するごとに自動的に処理が停止（バッチエンド停止）となる。このようなバッチエンド停止となると、操作員は、バッチエンド停止に伴う作業（排除券に対する作業および新たなバッチ開始に対する作業）が発生する。バッチエンド停止に伴う作業としては、排除カセットに集積された紙葉類を排除券処理装置に投入する作業、あるいは、新たなバッチの紙葉類に対する処理を開始するための操作作業などがある。
【０００４】
すなわち、上記のような従来の紙葉類処理システムでは、バッチエンド停止すると、排除券カセットに集積された排除券が少ない（あるいは排除券が無い）場合であっても、操作員がバッチエンド停止に伴う作業を行わなければならない。言い換えると、排除券が少ない紙葉類を処理する場合、従来の紙葉類処理システムでは、無駄な作業（あるいは非効率的な作業）を行う必要があるという問題点がある。
【特許文献１】特開昭６３−９７５３１号公報
【非特許文献１】特開平８−１９０６５３号公報
【発明の開示】
【発明が解決しようとする課題】
【０００５】
この発明の一形態では、上記のような問題点を解決するものであり、一連の紙葉類に対する処理の効率を向上させることができる紙葉類処理システムおよび紙葉類処理方法を提供することを目的とする。
【課題を解決するための手段】
【０００６】
この発明の一形態としての紙葉類処理装置は、複数の紙葉類を処理するための１連の処理を停止させるための基準値を設定する設定手段と、複数の紙葉類を１枚づつ搬送する搬送手段と、この搬送手段により搬送される紙葉類から特徴量を検知する検知手段と、この検知手段により検知された紙葉類の特徴量に基づいて当該紙葉類が排除券か否かを判定する判定手段と、この判定手段により排除券と判定された紙葉類を集積する集積手段と、前記集積手段に集積された排除券が前記設定手段により設定されている基準値に達したか否かを判断する判断手段と、この判断手段により排除券が前記設定手段により設定されている基準値に達したと判断した場合、１連の処理を停止する停止手段とを有する。
【０００７】
この発明の一形態としての紙葉類処理システムは、複数の紙葉類を検査する検査装置と、前記検査装置により排除された紙葉類を処理する排除券処理装置と、前記検査装置による処理結果および前記排除券処理装置における処理結果を集計する制御装置とを有するシステムであって、前記検査装置は、１連の処理を停止させるための基準値を設定する設定手段と、複数の紙葉類を１枚づつ搬送する搬送手段と、この搬送手段により搬送される紙葉類から特徴量を検知する検知手段と、この検知手段により検知された紙葉類の特徴量に基づいて当該紙葉類が排除券か否かを判定する判定手段と、この判定手段により排除券と判定された紙葉類を集積する集積手段と、前記集積手段に集積された排除券が前記設定手段により設定されている基準値に達したか否かを判断する判断手段と、この判断手段により排除券が前記設定手段により設定されている基準値に達したと判断した場合、１連の処理を停止する停止手段とを有し、前記排除券処理装置は、前記停止手段により１連の処理が停止した検査装置の集積手段に集積された紙葉類を処理する処理手段を有する。
【０００８】
この発明の一形態としての紙葉類処理方法は、複数の紙葉類を処理する紙葉類処理装置に用いられる方法であって、１連の処理を停止させるための基準値を設定しておき、複数の紙葉類を１枚づつ搬送し、搬送される紙葉類から特徴量を検知し、検知された紙葉類の特徴量に基づいて当該紙葉類が排除券か否かを判定し、排除券と判定された紙葉類を集積手段に集積し、前記集積手段に集積された排除券が前記設定されている基準値に達したか否かを判断し、この判断により排除券が前記設定されている基準値に達したと判断した場合、１連の処理を停止する。
【発明の効果】
【０００９】
この発明の一形態によれば、一連の紙葉類に対する処理の効率を向上させることができる紙葉類処理装置、紙葉類処理システムおよび紙葉類処理方法を提供できる。
【発明を実施するための最良の形態】
【００１０】
以下、この発明を実施するための最良の形態について図面を参照して説明する。  
図１、図２は、この発明の実施の形態に係わる紙葉類処理システムの概略構成を示すものである。すなわち、紙葉類処理システムは、束処理機１、コンベア２、前処理部３ａ、３ｂ、３ｃ、検査機４ａ、４ｂ、４ｃ、排除券処理機５、および、集中制御卓６などにより構成されている。
【００１１】
上記束処理機１は、複数の券（紙葉類）の束を処理するものである。上記コンベア２は、上記束処理機１により処理された紙葉類を前処理部３ａ、３ｂ、３ｃへ搬送するためのものである。上記前処理部３ａ、３ｂ、３ｃは、コンベア２によって搬送される券の束に対する前処理を行う。上記検査機４ａ、４ｂ、４ｃは、上記各前処理部３ａ、３ｂ、３ｃにそれぞれ対向して設けられる。上記検査機４ａ、４ｂ、４ｃは、紙葉類処理装置として機能する。上記検査機４ａ、４ｂ、４ｃは、それぞれ対向する前処理部３ａ、３ｂ、３ｃにより処理された券を１枚ずつ検査し、その検査結果に基づいて各紙葉類を処理する。
【００１２】
上記排除券処理機５は、上記検査機４ａ、４ｂ、４ｃにより排除券として区分された紙葉類に対して再検査などの処理するものである。また、上記排除券処理機５は、上記検査機４ａ、４ｂ、４ｃにより処理された紙葉類のうち排除券が発生した束の紙葉類に対する処理結果の照合を行うものとしても機能する。上記上記集中制御卓６は、当該紙葉類処理システム全体における処理数などを管理するものである。上記集中制御卓６は、当該紙葉類処理システムの全体の制御装置として機能する。上記束処理機１、上記検査機４ａ、４ｂ、４ｃおよび上記排除券処理機５などは、上記集中制御卓６にケーブル７などを介して接続される。
【００１３】
次に、上記束処理機１について説明する。  
上記束処理機１は、所定の単位でまとめられた紙葉類が供給される。例えば、１００枚ずつの紙葉類からなる把が１０把まとめて帯留めされた状態のもの（これを束と称する）が上記束処理機１に投入される。上記束処理機１では、投入された束を搬送しつつ最上部の券の帯により見えない部分以外の模様により紙葉類の種類（券種）を判定する。上記束処理機１では、上記判定結果（束の券種の判定結果）を検査機４ａ（４ｂ、４ｃ）、集中制御卓６に出力する。
【００１４】
また、上記束処理機１は、券種の判定結果を上記集中制御卓６に出力すると、上記束処理機１では、上記集中制御卓６による制御に基づいて、紙葉類の束を選択的に各前処理部３ａ（３ｂ、３ｃ）に搬送する処理を行う。たとえば、紙葉類の束の搬送先は、各前処理部３ａ（３ｂ、３ｃ）に対応する各検査機４ａ、４ｂ、４ｃの処理状況に応じて決定される。また、上記束処理機１では、コンベア２上に設けられている振分けゲート（図示しない）を制御することにより、当該紙葉類の束を処理すべき検査機４ａ（４ｂ、４ｃ）の前処理部３ａ（３ｂ、３ｃ）に振分けるようになっている。
【００１５】
次に、上記前処理部３ａ（３ｂ、３ｃ）について説明する。  
上記前処理部３ａ（３ｂ、３ｃ）は、束処理機１からコンベア２によって搬送され、振分けられた紙葉類の束を受入れる。上記前処理部３ａ（３ｂ、３ｃ）は、この受入れた紙葉類の束を搬送機構により搬送する。上記前処理部３ａ（３ｂ、３ｃ）は、まず、上記搬送機構により搬送される束の紙葉類に対して、複数の把（例えば１０把）を束ねている大帯を切断する。これにより、束の紙葉類は、１把単位の複数（例えば１０把）の紙葉類に分けられる。上記前処理部３ａ（３ｂ、３ｃ）は、１把単位の各紙葉類に対して、さらに、把ごとに複数（たとえば１００枚）の紙葉類を束ねている小帯を切断する。これにより、把ごとの紙葉類は、１枚づつの紙葉類に分けられる。上記前処理部３ａ（３ｂ、３ｃ）は、１枚づつの紙葉類に分けられ、束を構成していた複数の紙葉類を対向する検査機４ａ（４ｂ、４ｃ）に搬送する。
【００１６】
次に、上記検査機４ａ（４ｂ、４ｃ）について説明する。  
上記検査機４ａ（４ｂ、４ｃ）は、対向する前処理部３ａ（３ｂ、３ｃ）からの紙葉類を１枚ずつ検査する。上記検査機４ａ（４ｂ、４ｃ）は、検査結果に基づいて、各紙葉類が、再流通可能な良券か、再流通不可能な不良券か、検査不能の排除券かを判定する。さらに、上記検査機４ａ（４ｂ、４ｃ）は、上記判定結果に基づいて各紙葉類を良券、不良券、あるいは、排除券ごとに分類して集積する。
【００１７】
図２は、上記検査機４ａ（４ｂ、４ｃ）を構成例を示す図である。  
図２に示すように、上記検査機４ａ（４ｂ、４ｃ）は、制御部３１、メモリ３２、表示部３３、操作部３４、搬送状態検知部３５、良否検知部３６、券種検知部３７、厚さ検知部３８、総合判定部３９、駆動回路４０、駆動回路４１、把施封部４２、シュレッダ部４３、搬送制御部４４、排除券カセット４５、インターフェース４６、インターフェース４７、インターフェース４８などから構成されている。
【００１８】
上記制御部３１は、検査機４ａ（４ｂ、４ｃ）の全体を制御する。上記メモリ３２は、制御プログラムが記憶されていたりデータ記憶用に用いられる。上記表示部３３は処理内容や操作案内等が表示される。上記操作部３４は、操作の指示を行う。  
上記搬送状態検知部３５は、検査機４ａ（４ｂ、４ｃ）内部の図示しない搬送路によって搬送される１枚ずつの紙葉類の搬送状態を検知する。上記良否検知部３６は、上記搬送路によって搬送される１枚ずつの紙葉類の良否を検知する。上記券種検知部３７は、上記搬送路によって搬送される１枚ずつの紙葉類の種類を検知する。上記厚さ検知部３８は、上記搬送路によって搬送される１枚ずつの紙葉類の厚さを検知する。
【００１９】
上記総合判定部３９は、上記搬送状態検知部３５からの検知結果と良否検知部３６からの検知結果と券種検知部３７からの検知結果と厚さ検知部３８からの検知結果とにより総合的に紙葉類を判定する。  
上記総合判定部３９には、上記各検知部３５、３６、３７、３８からの検知結果が券の通過後、所定時間以内に供給される。これにより、上記総合判定部３９は、これらの検知結果に基づいて紙葉類が、排除券か、不良券か、良券かを判定する。上記総合判定部３９における判定論理は、「排除券判定＞不良券判定＞良券判定」の順位に優先順位が決まっている。すなわち、上記総合判定部３９は、個々の判定結果のうち１箇所でも排除券であるという判定がある場合は当該紙葉類を排除券と判定し、すべてが良券判定の場合は当該紙葉類を良券と判定し、それ以外は当該紙葉類を不良券と判定する。
【００２０】
また、上記総合判定部３９は、上記のような判定結果を示す情報を上記制御部３１に出力するようになっている。また、上記のような紙葉類の判定結果を示す情報は、上記制御部３１により検査単位ごとにまとめられた検査結果として集中制御卓６に出力される。なお、排除券と判定された紙葉類が含まれていた束には、後述する照合カードに付与されるカードＩＤ番号が発行される。従って、排除券として排除券カセットに集積した紙葉類が存在した束の紙葉類に関する情報には、後述する照合カードに付与したカードＩＤ番号に対応づけられて集中制御卓６に出力される。
【００２１】
上記駆動回路４０は、検査機４ａ（４ｂ、４ｃ）内部の図示しない集積部に集積された所定の枚数（例えば、１００枚分）ごとの良券に対して施封を施す把施封部４２を駆動する。上記駆動回路４１は、上記良否検知部３６により不良券と検知された紙葉類を裁断するシュレッダ部４３を駆動する。上記搬送制御部４４は、検査機４ａ（４ｂ、４ｃ）内部の図示しない搬送路を駆動する搬送機構（図示しない）を制御する。
【００２２】
上記排除券カセット４５は、上記搬送制御部４４により制御される搬送機構により搬送される排除券を集積するものである。この排除券カセット４５は、所定の検査単位（照合単位）ごとの紙葉類のうち排除券と判断された紙葉類ごとに、発行機構４５ａにより発行される照合カードを挿入して集積する。この照合カードには、上記検査単位ごとにユニークなカードＩＤ番号（固有情報）が付与される。
【００２３】
上記インターフェース４６、４７、４８は、それぞれ上記束処理機１、上記集中制御卓６、上記前処理部３ａ（３ｂ、３ｃ）とデータ通信を行うためのものである。
【００２４】
次に、上記排除券処理機５について説明する。  
上記排除券処理機５は、上記検査機４ａ（４ｂ、４ｃ）の排除券カセット４５に集積された排除券を処理するものである。上記排除券処理機５では、処理結果を集中制御卓６へ出力するようになっている。これにより、上記集中制御卓６では、たとえば、上記検査機４ａ（４ｂ、４ｃ）での処理結果（良券および不良券の処理枚数）と排除券処理機５での処理結果（排除券の処理枚数）とが整合するものであるか否かを判定する処理を行う。
【００２５】
図３は、上記排除券処理機５の構成例を示すブロックである。  
上記排除券処理機５は、図３に示すように、本体制御部５１、操作部５２、表示部５３、メモリ５４、排除券処理部５５、プリンタ５６、および、インターフェース５７などにより構成されている。
【００２６】
上記制御部５１は、排除券処理機５全体の制御を司るものである。たとえば、上記制御部５１では、当該排除券処理機５内の各部に動作指示を供給したり、上記インターフェース５７を介して集中制御卓６とのデータ通信を行う。上記操作部５２は、各種の操作スイッチが設けられ、オペレータによる排除券処理機５に対する種々の操作が入力される。上記表示部５３は、種々の処理内容を表示する。
【００２７】
上記排除券処理部５５は、上記検査機４ａ（４ｂ、４ｃ）での検査結果により排除券として排除券カセット４５に集積された紙葉類を処理する。また、上記排除券処理部５５には、上記検査機４ａ（４ｂ、４ｃ）の排除券カセット４５内に集積される排除券に挿入された照合カードに付与されているＩＤ情報などを読み取るカード読取部（図示しない）なども設けられている。上記プリンタ５６は、排除券の処理結果が不整合であった場合などに処理結果としてのエラー内容を印刷出力する。上記インターフェース５７は、上記集中制御卓６とのデータ通信を行うためのものである。
【００２８】
次に、上記集中制御卓６について説明する。  
上記集中制御卓６は、検査機４ａ（４ｂ、４ｃ）からの検査結果を示す情報を受取り、ＩＤ情報などと対応づけて記憶装置に記憶する。また、上記集中制御卓６は、上記排除券処理機５からの検査機における検査結果の転送要求に対して、検査機４ａ（４ｂ、４ｃ）における検査結果を示す情報を当該排除券処理機５へ送信するものである。
【００２９】
図４は、上記集中制御卓６の構成例を示すブロック図である。  
上記集中制御卓６は、図４に示すように、主制御部６１、操作部６２、表示部６３、メモリ６４、プリンタ６５、インターフェース６６、インターフェース６７、インターフェース６８、およびインターフェース６９によって構成されている。
【００３０】
上記主制御部６１は、集中制御卓６の全体を制御する。上記操作部６２は、操作の指示を行う。上記表示部６３は、種々の処理内容を表示する。上記メモリ６４は、制御プログラムが記憶されていたりデータ記憶用に用いられる。上記プリンタ６５は、種々の処理内容をプリントする。
【００３１】
上記インターフェース６６は、上記排除券処理機５とのデータ通信を行うためのインターフェースである。上記インターフェース６７は、上記検査機４ａとのデータ通信を行うためのインターフェースである。上記インターフェース６８は、上記検査機４ｂとのデータ通信を行うためのインターフェースである。上記インターフェース６９は、上記検査機４ｃとのデータ通信を行うためのインターフェースである。
【００３２】
また、上記メモリ６４は、所定の検査単位ごとの検査機４ａ（４ｂ、４ｃ）による紙葉類の検査結果を記憶するデータテーブル（図示しない）を有している。このデータテーブルには、検査機４ａ（４ｂ、４ｃ）で所定の検査単位ごとに与えられる固有情報としてのカードＩＤ番号に対応して良券の枚数、および不良券の枚数などが記憶される。
【００３３】
次に、当該紙葉類処理システムにおける処理の流れについて概略的に説明する。  
図５は、紙葉類処理システム全体における処理の流れを説明するためのフローチャートである。  
ここでは、一連の処理として処理される束の数（バッチサイズ）が予め設定されているものとする。この場合、一連の処理（バッチサイズの紙葉類に対する処理）を開始しようとするオペレータは、まず、集中制御卓６の操作部６２において、動作モードを指定し、処理の開始を指示する（ステップＳ１１）。なお、予めバッチサイズがオペレータにより設定可能である場合、オペレータは、動作モードとともにバッチサイズを指定してから処理の開始を指示する。
【００３４】
オペレータが指定する動作モードとしては、処理した束数に対してバッチサイズを適用する動作モード（つまり、所定の束数の紙葉類を処理した際に一連の処理を停止する動作モード）とするか、処理した束のうち排除券が検出された束数に対してバッチサイズを適用する動作モード（つまり、排除券が含まれていた束数の紙葉類を処理した際に一連の処理を停止する動作モード）とするかなどが指定される。  
オペレータにより1連の処理の開始が指示されると、上記集中制御卓６の主制御部６１は、オペレータにより指定された動作モードを設定し（ステップＳ１２）、当該システムの各機器に処理の開始を要求する（ステップＳ１３）。
【００３５】
上記束処理機１では、上記集中制御卓６からの処理の開始要求を受けると、束の紙葉類に対する束処理を行う（ステップＳ１４）。この束処理では、上述したように、束の紙葉類の券種を判別し、当該束の紙葉類を処理すべき検査機４に対応する前処理機３に選択的に搬送する。  
当該束の紙葉類が供給された前処理機３では、束の紙葉類に対して前処理を施す（ステップＳ１５）。この前処理では、上述したように、複数の把を束としてまとめている大帯と複数の紙葉類を把としてまとめている小帯とを裁断し、大帯と小帯とが裁断された紙葉類を当該前処理機３に対応する検査機４に供給する。
【００３６】
前処理機３により前処理が施された紙葉類が供給された検査機４では、束としてまとめられていた紙葉類を１枚づつ検査する検査処理を行う（ステップＳ１６）。この検査処理では、各紙葉類が、排除券か、良券か、不良券かを判定し、その判定結果に基づいて各紙葉類を処理する。特に、排除券については、排除券カセットに集積される。また、良券については、所定の集積部に集積され、所定枚数ごとに施封される。また、不良券については、裁断処理される。なお、上記検査処理については、後で詳細に説明する。
【００３７】
また、上記検査機４では、各束の紙葉類に対する検査処理が完了するごとに、バッチサイズに到達したか否かを判定する（ステップＳ１７）。また、バッチサイズの判断基準は、動作モードより異なる。ここでは、動作モードとして、処理した束数が規定の束数（バッチサイズ）に達した場合にバッチエンドとする第１の動作モードと、処理した束のうち排除券があった束数が規定の束数（バッチサイズ）に達した場合にバッチエンドとする第２の動作モードとを想定する。上記第１の動作モードが設定されている場合、上記検査機４は、処理した束数がバッチサイズに達したか否かを判定し、上記第２の動作モードが設定されている場合、上記検査機４は、処理した束のうち排除券と判定された紙葉類が含まれていた束の数がバッチサイズに達したか否かを判定する。
【００３８】
上記のような動作モードに応じた判定の結果として処理数がバッチサイズに達していないと判定された場合（ステップＳ１８、ＮＯ）、当該紙葉類処理システムは、上記ステップＳ１４へ戻り、次の紙葉類の束に対する処理を行う。また、上記のような動作モードに応じた判定の結果として処理数がバッチサイズに達したと判定された場合（ステップＳ１８、ＹＥＳ）、当該紙葉類処理システムは、バッチエンドとして処理動作を停止（バッチエンド停止）する（ステップＳ１９）。
【００３９】
上記のようなバッチエンド停止となると、当該紙葉類処理システムに対しては、オペレータによる作業が必要となる（ステップＳ２０）。オペレータによる作業としては、上記検査機４から排除券カセット４５を取り出し、検査機４から取り出した排除券カセット４５を排除券処理機５にセットし、当該排除券処理機５の操作部において排除券処理の開始を指示するなどの作業が必要となる。
【００４０】
このようなバッチエンド停止に伴うオペレータによる作業か完了すると、オペレータによる排除券処理の開始指示に応じて、上記排除券処理機５は、オペレータによりセットされた排除券カセット４５に集積されている排除券に対する排除券処理を実行する（ステップＳ２１）。この排除券処理では、排除券カセット４５に集積されている排除券を再度検査する処理と、排除券カセット４５に集積されている排除券に基づく照合処理とが行われる。
【００４１】
上記照合処理とは、上記照合カードごとに区分けされている排除券が上記検査機４による処理結果と整合しているか否かを判定する。言い換えると、照合処理では、照合カードで区分けされる紙葉類の束ごとに、排除券の数と良券及び不良券の数とが整合するか否かを判定する。たとえば、排除券の数と良券および不良券の数との合計数は、元の各束の紙葉類の数と一致するはずである。従って、排除券の数と良券及び不良券の数とが、元の各束の紙葉類の数と一致しなければ、何らかの機械的な不具合あるいは人為的な不正が発生したことが予測できる。特に、正確な処理が要求される場合、処理結果が正しいか否かを確認する必要があるため、上記のような照合処理が行われている。
【００４２】
次に、上記検査機４における検査処理について説明する。  
図６は、上記検査機４における検査処理を説明するためのフローチャートである。  
上記検査機４の制御部３１は、上記集中制御卓６からの要求に応じて、動作モードを設定し、検査処理を開始する（ステップＳ３１）。検査処理を開始すると、上記制御部３１は、上記搬送制御部４４により前処理機３により処理され、束としてまとめられていた紙葉類を１枚づつ搬送する（ステップＳ３２）。上記搬送制御部４４により搬送される紙葉類は、搬送状態検知部３５により搬送状態を検知されるとともに、良否検知部３６、券種検知部３７、および、厚さ検知部３８によりそれぞれ特徴量が検知される（ステップＳ３５）。各検知部３５〜３８による検知結果は、総合判定部３９に供給される。上記総合判定部３９では、各検知部３５〜３８からの検知結果に基づいて、各紙葉類が、排除券か、良券か、不良券かを判定する（ステップＳ３４）。
【００４３】
上記総合判定部３９による判定結果は、上記制御部３１に供給される。上記制御部３１では、判定結果に基づいて各紙葉類に対して処理を施す（ステップＳ３５〜Ｓ３９）。  
まず、上記総合判定部３９により紙葉類が排除券と判定された場合（ステップＳ３５、ＹＥＳ）、上記制御部３１は、当該紙葉類を排除券として排除券カセット４５に集積する処理を行う（ステップＳ３６）。この際、上記制御部３１は、当該紙葉類が現在処理中の束において、最初に排除券と判定したものであるか否かを判断する。この判断により現在処理中の束において最初に排除券として判定されたものであると判断した場合、上記制御部３１は、当該束に対するＩＤ番号を発番し、そのＩＤ番号を付与した照合カードを発行する。このような照合カードは、排除券カセット４５に集積され、その照合カードに続いて当該束における排除券が排除券カセット４５に集積される。言い換えると、上記照合カードは、束ごとの排除券を区分けするためのカードとして用いられる。すなわち、上記検査機４では、処理対象となった束ごとに照合カードを挿入しつつ、排除券を排除券カセット４５に集積する。
【００４４】
また、上記総合判定部３９により紙葉類が良券と判定された場合（ステップＳ３７、ＹＥＳ）、上記制御部３１は、当該紙葉類を良券を集積するための集積庫（図示しない）に集積する（ステップＳ３８）。また、上記集積庫に集積された良券が所定枚数（例えば、１００枚）に達するごとに、上記施封部４２は、所定枚数の良券を施封する処理を行うようになっている。さらに、所定枚数で施封された紙葉類（把）は、所定数（例えば、１０把）ごとに大帯で束ねられる。すなわち、上記検査機４は、上記総合判定部３９により良券と判定した紙葉類を所定の集積庫に集積し、所定枚数ごとに把として施封し、さらに、所定数の把ごとに束ねる。
【００４５】
また、上記総合判定部３９により紙葉類が排除券でも良券でもないと判定された場合、つまり、紙葉類が不良券と判定された場合、（ステップＳ３７、ＮＯ）、上記制御部３１は、当該紙葉類を不良券として上記シュレッダ部４３により裁断する処理を行う（ステップＳ３９）。すなわち、上記検査機４は、上記総合判定部３９により不良券と判定した紙葉類を裁断して破棄する。
【００４６】
上記ように、上記総合判定部３９による判定結果に応じた処理を紙葉類に対して施すと、上記制御部３１では、１束分の検査処理が終了したか否かを判定する（ステップＳ４０）。１束分の検査処理が終了していないと判定した場合、つまり、処理中の束の紙葉類が残っていると判定した場合（ステップＳ４０、ＮＯ）、上記制御部３１は、上記ステップＳ３２へ戻り、次の紙葉類に対する検査処理を行う。
【００４７】
また、１束分の検査処理が終了したと判定した場合（ステップＳ４０、ＹＥＳ）、上記制御部３１は、検査処理が終了した束において排除券があったか否かを判断する（ステップＳ４１）。この判断により排除券がなかったと判断した場合（ステップＳ４１、ＮＯ）、上記制御部３１は、上記ステップＳ３２へ戻り、次の束の紙葉類に対する検査処理を行う。
【００４８】
なお、上記照合カードは、各束において排除券が発生した場合に発行される。従って、当該束に排除券がなったということは、照合カードが発行されていないことを意味するものとする。なお、上記照合カードは、排除券が発生しなかった場合であっても発行し、排除券カセット４５に集積しておくようにしても良い。この場合、束に排除券が無かった場合には、照合カードが連続することなるため、上記排除券処理機５では、照合カードが連続するか否かにより各束における排除券の有無を判定するようにすることも可能である。
【００４９】
また、上記判断により排除券があったと判断した場合（ステップＳ４１、ＹＥＳ）、上記制御部３１は、排除券が発生した束の数を計数するためのカウンタ（図示しない）をカウントアップする（ステップＳ４２）。なお、上記カウンタは、たとえば、上記メモリ３２等に設けるようにすれば良い。また、上記カウンタは、処理中の束に最初の排除券が発生した時点でカウントアップするようにしても良い。
【００５０】
また、排除券が発生した束の紙葉類に対する検査処理が終了するごとに、上記制御部３１は、処理した束のうち排除券が発生した束の数（つまり、上記カウンタによりカウントされている数）が予め設定されているバッチサイズに到達したか否かを判断する（ステップＳ４３）。この判断によりバッチサイズに到達していないと判断した場合（ステップＳ４３、ＮＯ）、上記制御部３１は、上記ステップＳ３２へ戻り、次の束の紙葉類に対する検査処理を行う。
【００５１】
また、上記判断によりバッチサイズに到達したと判断した場合（ステップＳ４３、ＹＥＳ）、上記制御部３１は、バッチエンドとして一連の処理を停止（バッチエンド停止）する（ステップＳ４４）。このようにバッチエンド停止となった場合、上記制御部３１は、一連の処理における処理結果を示す情報を上記集中制御卓６に送信する。この際、処理結果を示す情報としては、たとえば、計数情報（排除券、良券および不良券の数）、発行した照合カードに付与したＩＤ番号、停止情報などが含まれる。これにより、上記集中制御卓６では、照合カードに付与したＩＤ番号（つまり、排除券が発生した束の識別情報）に対応づけた計数情報を取得することができる。また、照合カードに付与したＩＤ番号に対応づけた計数情報は、上記排除券処理機５での上述した照合処理において利用される。
【００５２】
なお、上記実施の形態では、第２の動作モードによる処理として、処理した束のうち排除券が発生した束の数が予め設定されているバッチサイズに達した際に、バッチエンド停止とするようにしたが、排除券の数に応じてバッチエンド停止を判定するように変形することも可能である。この場合、バッチサイズに対応する基準値として排除券カセットに集積した紙葉類（たとえば、排除券と照合カード）の数に対する基準値を予め設定しておき、上記排除券カセットに集積された紙葉類の数が基準値を超えた時点で、次の束に対する処理を行わない（処理中の束でバッチエンド停止とする）ようにすることが可能である。
【００５３】
上記のように、上記紙葉類処理システムあるいは紙葉類処理装置としての検査機では、複数の紙葉類を連続的に処理する場合、１連の処理を停止させるための基準値を予め設定しておき、各紙葉類が排除券か否かを判定し、排除券と判定された紙葉類を所定の集積手段に集積し、前記集積手段に集積された排除券が前記基準値に達した場合、１連の処理を停止するようにしてものである。  
これより、排除券が発生した割合に応じて一連の処理を停止するようにすることができ、システム全体の効率的な運用が実現でき、人手によるオペレーションの低減、あるいは、スループットの向上を実現できる。
【００５４】
また、上記紙葉類処理システムあるいは紙葉類処理装置としての検査機では、複数の紙葉類がまとめられている束を複数束連続して処理する場合、１連の処理を停止させるための基準値として排除券が発生した束数に対する基準値を予め設定しておき、各紙葉類が排除券か否かを判定し、排除券と判定された紙葉類を所定の集積手段に集積し、前記集積手段に集積された排除券が発生した束数が前記基準値に達した場合、１連の処理を停止するようにしてものである。  
これより、処理した束数ではなく、照合などの処理が必要となる排除券が発生した束の数に応じて一連の処理を自動的に停止するようにすることができ、システム全体の効率的な運用が実現でき、人手によるオペレーションの低減、あるいは、スループットの向上を実現できる。
【００５５】
さらに、上記紙葉類処理システムあるいは紙葉類処理装置としての検査機では、予め設定した基準値が、処理した束数に対する基準値とするか、排除券が発生した束数に対する基準値とするかをオペレータの指示に応じて設定することもできるようになっている。これにより、処理対象となる紙葉類の状態あるいは処理状況などに応じたオペレータの意図に応じた処理が実現できる。
【図面の簡単な説明】
【００５６】
【図１】この発明の実施の形態に係わる紙葉類処理システムの概略構成を示す図。
【図２】検査機の構成例を示すブロック図。
【図３】排除券処理機の構成例を示すブロック図。
【図４】集中制御卓の構成例を示すブロック図。
【図５】紙葉類処理システム全体における処理の流れを説明するためのフローチャート。
【図６】検査機における処理の流れを説明するためのフローチャート。
【符号の説明】
【００５７】
１…束処理機、３（３ａ、３ｂ、３ｃ）…前処理機、４（４ａ、４ｂ、４ｃ）…検査機、５…排除券処理機、６…集中制御卓、３１…制御部、３２…メモリ、３５…搬送状態検知部、３６…良否検知部、３７…券種検知部、３８…検知部、３９…総合判定部、４２…把施封部、４３…シュレッダ部、４４…搬送制御部、４５…排除券カセット、４５ａ…発行機構、４６、４７、４８…インターフェース
【図１】
2007293607.tif 000003
【図２】
2007293607.tif 000004
【図３】
2007293607.tif 000005
【図４】
2007293607.tif 000006
【図５】
2007293607.tif 000007
【図６】
2007293607.tif 000008